(57)【要約】      （修正有）【課題】液体を入れたボトルを装着した状態で携行することにより、随時、液体を散水したり、鳥獣に飲用させたりすることができる鳥獣用液体供給装置を提供する。【解決手段】液体を入れたボトルの側部に添設されるケース本体２と、ボトルの口部に着脱自在に取着されるキャップ体３を備え、キャップ体３とケース本体２を相互に回動自在に枢結し、キャップ体３を回動することにより、ボトルＢは、ケース本体２に沿わせた格納姿勢と、該格納姿勢から反転してケース本体２の外部に突出する倒立姿勢との間で、姿勢変更可能である。ボトルＢを格納姿勢とした状態で、キャップ体３からケース本体２の外部に向けて液体を注出自在とする注出路１３ａ、１３ｂが設けられ、ボトルＢを倒立姿勢とした状態で、ケース本体２がキャップ体３から注出される液体を貯留する飲用トレーを構成する。【選択図】図４
0003178242.tif 000002
【実用新案登録請求の範囲】
【請求項１】
液体を入れたボトルの側部に添設されるケース本体(2)と、前記ボトルの口部に着脱自在に取着されるキャップ体(3)を備え、
ケース本体(2)の横断方向の回動軸(AX)に関して、前記キャップ体(3)とケース本体(2)を相互に回動自在に枢結し、前記キャップ体(3)の回動を介して、ボトル(B)をケース本体(2)に沿わせた格納姿勢と、ボトル(B)を前記格納姿勢から反転してケース本体(2)の外部に突出させた倒立姿勢との間で、姿勢変更可能とするように構成し、
ボトル(B)を格納姿勢とした状態で、前記キャップ体(3)からケース本体(2)の外部に向けて液体を注出自在とする注出路(13)が設けられ、
ボトル(B)を倒立姿勢とした状態で、前記ケース本体(2)により、キャップ体(3)から注出される液体を貯留する飲用トレー(T)を構成して成ることを特徴とする鳥獣用液体供給装置。
【請求項２】
前記キャップ体(3)は、ボトルの口部(B3)のネジ手段を螺着するネジキャップ部(11)と、該ネジキャップ部から延長されたノズル部(14)を備え、
前記ネジキャップ部(11)をケース本体(2)に前記回動軸(AX)を介して枢結し、前記ノズル部(14)に開閉自在な蓋部材(4)を設けて成ることを特徴とする請求項１に記載の鳥獣用液体供給装置。
【請求項３】
前記キャップ体(3)のノズル部(14)は、第１ノズル部(14a)と第２ノズル部(14b)に分割され、第１ノズル部(14a)は、ネジキャップ部(11)に一体結合され、第２ノズル部(14b)は、前記第１ノズル部(14a)に接離自在に連設されるようにケース本体(2)に固定されており、
前記第１ノズル部(14a)に第２ノズル部(14b)に連通する散水孔(15)を設けると共に、前記第２ノズル部(14b)の先端に開閉自在な蓋部材(4)を設けており、
ボトル(B)を格納姿勢とするようにキャップ体を(3)回動したとき、前記第１ノズル部(14a)を第２ノズル部(14b)に接合状態で連設させ、ボトル(B)を倒立姿勢とするようにキャップ体(3)を回動したとき、前記第１ノズル部(14a)を第２ノズル部(14b)から離反して反転するように構成して成ることを特徴とする請求項２に記載の鳥獣用液体供給装置。
【考案の詳細な説明】
【技術分野】
【０００１】
本考案は、鳥獣用液体供給装置に関し、特に、液体を入れたボトルを装着した状態で携行することにより、随時、液体を散水したり、鳥獣に飲用させたりすることができる装置に関する。
【背景技術】
【０００２】
従来、鳥獣等の愛玩動物用飲料器具として、種々のものが提供されている。
【先行技術文献】
【特許文献】
【０００３】
【特許文献１】特開２００３−３１００７６号公報
【考案の概要】
【考案が解決しようとする課題】
【０００４】
ところで、愛玩動物、例えば、愛犬を散歩させる場合、糞尿の処理の問題があり、糞は飼い主が拾い上げることにより適切に処分することが可能であるが、尿は処分困難であり、他人の建造物等に対する放尿を放置せざるを得ないという問題がある。このため、例えば水を入れたペットボトルを携行し、尿を水で洗い流すことが望まれる。
【０００５】
その一方において、夏期等における愛犬の健康面からすると、散歩中に水を補給させることが好ましい。このため、例えば水を入れたペットボトルを携行し、随時、愛犬に水を与えることが望まれるが、犬等の動物は舌により液体を飲用するので、ボトルから注出する水の流束を飲ませることは困難である。従って、ボトルと共に水受皿を携行する必要があり、不便である。
【０００６】
上記のような問題は、犬の散歩に限らず、住宅の庭等において飼育する鳥獣に関しても同様である。
【課題を解決するための手段】
【０００７】
本考案は、上記課題を解決した鳥獣用液体供給装置を提供するものであり、その手段として構成したところは、液体を入れたボトルの側部に添設されるケース本体と、前記ボトルの口部に着脱自在に取着されるキャップ体を備え、ケース本体の横断方向の回動軸に関して、前記キャップ体とケース本体を相互に回動自在に枢結し、前記キャップ体の回動を介して、ボトルをケース本体に沿わせた格納姿勢と、ボトルを前記格納姿勢から反転してケース本体の外部に突出させた倒立姿勢との間で、姿勢変更可能とするように構成し、ボトルを格納姿勢とした状態で、前記キャップ体からケース本体の外部に向けて液体を注出自在とする注出路が設けられ、ボトルを倒立姿勢とした状態で、前記ケース本体により、キャップ体から注出される液体を貯留する飲用トレーを構成して成る点にある。
【０００８】
本考案の好ましい実施形態において、前記キャップ体は、ボトルの口部のネジ手段を螺着するネジキャップ部と、該ネジキャップ部から延長されたノズル部を備え、前記ネジキャップ部をケース本体に前記回動軸を介して枢結し、前記ノズル部に開閉自在な蓋部材を設けている。
成ることを特徴とする請求項１に記載の鳥獣用液体供給装置。
【０００９】
この際、前記キャップ体のノズル部は、第１ノズル部と第２ノズル部に分割され、第１ノズル部は、ネジキャップ部に一体結合され、第２ノズル部は、前記第１ノズル部に接離自在に連設されるようにケース本体に固定されており、前記第１ノズル部に第２ノズル部に連通する散水孔を設けると共に、前記第２ノズル部の先端に開閉自在な蓋部材を設けることが好ましく、これにより、ボトルを格納姿勢とするようにキャップ体を回動したとき、前記第１ノズル部を第２ノズル部に接合状態で連設させ、ボトルを倒立姿勢とするようにキャップ体を回動したとき、前記第１ノズル部を第２ノズル部から離反して反転するように構成することができる。
【考案の効果】
【００１０】
本考案によれば、液体を入れたボトルＢをキャップ体３に取着し、該キャップ体３の回動を介して、ケース本体２に格納させ、ケース本体２と共に携帯できるので、頗る便利である。
【００１１】
そして、ケース本体２に対してボトルＢを格納姿勢とした状態で、キャップ体３からケース本体２の外部に向けて液体を注出自在とする注出路１３が設けられているので、例えば、散歩中の愛犬が建造物等に放尿したときは、キャップ体３から外部に向けて液体を注出することにより洗い流すことが可能である。
【００１２】
その一方において、キャップ体３を回動することにより、ケース本体２に対してボトルＢを倒立姿勢とすれば、キャップ体３からケース本体２の内部に向けて液体を注出させることができ、しかも、注出する液体をケース本体２により貯留する飲用トレーＴを構成しているので、例えば、散歩中の愛犬に容易に飲ませることができるという実益がある。
【図面の簡単な説明】
【００１３】
【図１】本考案の１実施形態を示す斜視図である。
【図２】本考案の１実施形態に関して、ペットボトルを装着した状態を示す平面図である。
【図３】本考案の１実施形態に関して、（Ａ）はペットボトルを装着したキャップ体とケース本体の枢結部を示す断面図、（Ｂ）はキャップ体のネジキャップ部及び第１ノズル部を示す斜視図である。
【図４】本考案の１実施形態に関して、ペットボトルを装着した状態を示す縦断面図である。
【図５】本考案の作用に関して、散水方法を示す断面図である。
【図６】本考案の作用に関して、飲料供給方法を示す断面図である。
【考案を実施するための形態】
【００１４】
以下図面に基づいて本考案の好ましい実施形態を詳述する。
【００１５】
図１及び図２に示すように、液体供給装置１は、それぞれ合成樹脂により成形されたケース本体２と、キャップ体３と、該キャップ体３を開閉自在に閉蓋する蓋部材４と、提手ハンドル５により構成されている。
【００１６】
ケース本体２は、図２及び図４に示すように、汎用のペットボトルから選ばれたボトルＢの側部に添設される添設壁６と、該添設壁６の両側からボトル本体部Ｂ１の両側部を被うように延設された拡開側壁７、７と、該拡開側壁７、７の間隔よりも狭い間隔で添設壁６の両側からボトル肩部Ｂ２とボトル口部Ｂ３の両側部を被うように延設された狭窄側壁８、８を備え、前記添設壁６と狭窄側壁８、８の端部を閉塞する第１端壁９と、前記添設壁６と拡開側壁７、７の端部を閉塞する第２端壁１０を備え、一側部を開口させた容器形態に形成されている。
【００１７】
キャップ体３は、図３に示すように、ボトル口部Ｂ３のネジ手段Ｂ４を着脱自在に螺着する雌ネジ１１ａを備えたネジキャップ部１１を備え、該ネジキャップ部１１の直径方向に位置して両側に突設した枢軸１２、１２を前記狭窄側壁８、８に軸着することによりケース本体２の横断方向に延びる回動軸ＡＸを規定し、これにより、該キャップ体３とケース本体２を相互に回動自在に枢結している。
【００１８】
前記ボトルＢは、水等の液体を入れた状態で、下向きに傾けられたボトル口部Ｂ３から液体を注出する。そこで、前記キャップ体３のネジキャップ部１１は、ボトル口部Ｂ３から注出される液体をケース本体２の外部に向けて注出するための注出路１３を形成するノズル部１４を設けている。
【００１９】
図示実施形態の場合、前記ノズル部１４は、第１注出路１３ａを形成する第１ノズル部１４ａと、第２注出路１３ｂを形成する第２ノズル部１４ｂに分割形成されている。前記第１ノズル部１４ａは、ネジキャップ部１１に一体成形されると共に第１端壁９に向けて延び、延長端に散水孔１５を開設した隔壁１６を設けている。
【００２０】
前記第２ノズル部１４ｂは、前記第１ノズル部１４ａに接離自在に連設されるように第１端壁９に挿着状態で固定されており、該第１端壁９から外部に向けて突出する口部１７を蓋部材４により開閉自在に閉蓋される。
【００２１】
前記蓋部材４は、弾性を有する合成樹脂、例えば、シリコンゴム等のエラストマー、その他の弾性素材により成形され、前記第２ノズル部１４ｂの口部１７を水密的に被冠する蓋部１８と、該蓋部１８から延設された連結条部１９を備え、該連結条部１９の端部を枢結部２０により添設壁６の外面に回動自在に連結している。尚、蓋部１８には摘み片１８ａが設けられている。
【００２２】
前記連結条部１９は、常時は弾性復元力により、図４に鎖線で示すように、蓋部１８を第１端壁９から突出させるように直線状の形態を保持するが、該連結条部１９を弾性変形することにより、同図に実線で示すように、蓋部１８を第２ノズル部１４ｂの口部１７に着脱自在に被冠し、水密的に閉塞する。尚、蓋部１８を口部１７から取外した状態で、該蓋部１８及び連結条部１９は、前記枢結部２０を回動することにより、図５に示すように、添設壁６の外側面に沿わせた状態に格納することができる。
【００２３】
前記提手ハンドル５は、ほぼＵ形に形成されると共に、両端部を枢軸２１により拡開側壁７、７の外側に枢結され、図１ないし図３に示す狭窄側壁８、８に沿わせられた使用位置と、図５に示す狭窄側壁８、８から偏位させられた自由位置との間で、回動自在である。
【００２４】
上記構成の液体供給装置１によれば、汎用のペットボトルから成るボトルＢに水等の液体を入れ、ボトル口部Ｂ３をネジ手段Ｂ４及び雌ネジ１１ａを介して螺着することにより使用される。螺着作業は、枢軸１２によりキャップ体３を回動し、ネジキャップ部１１をケース本体２の開口部に向かわせることにより、容易に行うことができる。螺着後のボトルＢは、キャップ体３を回動することにより、ケース本体２に添設させられ、該ボトルＢの側半身をケース本体２に収納した格納姿勢とされる。
【００２５】
キャップ体３を回動することによりボトルＢをケース本体２に格納させた状態で、キャップ体３は、図３（Ａ）に示すように、第１ノズル部１４ａを第２ノズル部１４ｂに連設するように接合させられる。好ましくは、第１ノズル部１４ａと第２ノズル部１４ｂの少なくとも一方（図例の場合は第２ノズル部１４ｂ）をシリコンゴム等のエラストマー、その他の弾性材により形成しており、これにより両ノズル部１４ａ、１４ｂの接合部を水密的に圧接する。尚、第２ノズル部１４ｂの口部１７は、蓋部１８により閉蓋される。
【００２６】
水等の液体は、キャップ体３に螺着する前に先立ってボトルＢに入れても良いが、キャップ体３に螺着した後に、蓋部１８を開蓋することにより、ノズル部１４からボトルＢに入れることもできる。
【００２７】
そこで、液体入りのボトルＢをケース本体２に格納した液体供給装置１は、ノズル部１４の口部１７を蓋部１８により閉塞した状態で、例えば愛犬の散歩に際し、提手ハンドル５を把持することにより、簡便に携行される。提手ハンドル５の枢軸２１は、液体を入れたボトルＢとケース本体２の全体の重心に対して、提手ハンドル５のＵ形部を持ち上げたとき、ボトル口部Ｂ３が上向きとされ、ボトルＢ及びケース本体２が提手ハンドル５に吊下げ姿勢とされる位置に設けられている。従って、万一、蓋部１８が外れている場合でも、ノズル部１４が上向きとした状態で携行されるので、携行中に液体が漏出するおそれはない。
【００２８】
散歩中の愛犬が建造物等に向けて放尿したときは、図５に示すように、蓋部１８を取外してノズル部１４を開口させ、該ノズル部１４が下向きとなるようにケース本体２と共にボトルＢを傾けると、ボトル内部の液体が散水孔１５から散水され、尿を洗い流すことができる。
【００２９】
この際、図５に示すように、提手ハンドル５を上向き姿勢となるように回動させることができ、蓋部材４を添設壁６の下側に格納できるので、それぞれ散水を妨げることはない。
【００３０】
ところで、愛犬に液体を飲料として与える場合は、図６に示すように、ボトルＢを前記格納姿勢からケース本体２の外部に突出させた倒立開姿勢となるように引き起こせば、下向きに回動するキャップ体３の第１ノズル部１４ａが第２ノズル部１４ｂから離反し、散水孔１５から添設壁６の内側に向けて液体を注出する。
【００３１】
そこで、図示のように第２端壁１０を下向きとするようにケース本体２を傾ければ、該第２端壁１０とそれに近傍する添設壁６及び拡開側壁７、７により液体を貯留する飲用トレーＴが構成されるので、散歩中の愛犬に容易に飲ませることができる。
【００３２】
上記は散歩中の愛犬を例として説明したが、本考案は、住宅の庭等において飼育する鳥獣に関しても同様の使用が可能である。
【符号の説明】
【００３３】
Ｂ  ボトル
Ｂ１  ボトル本体部
Ｂ２  ボトル肩部
Ｂ３  ボトル口部
ＡＸ  回動軸
Ｔ  飲用トレー
１  液体供給装置
２  ケース本体
３  キャップ体
４  蓋部材
５  提手ハンドル
６  添設壁
７  拡開側壁
８  狭窄側壁
９  第１端壁
１０  第２端壁
１１  ネジキャップ部
１１ａ  雌ネジ
１２  枢軸
１３ａ、１３ｂ  注出路
１４ａ、１４ｂ  ノズル部
１５  散水孔
１６  隔壁
１７  口部
１８  蓋部
１８ａ  摘み片
１９  連結条部
２０  枢結部
２１  枢軸
【図１】
0003178242.tif 000003
【図２】
0003178242.tif 000004
【図３】
0003178242.tif 000005
【図４】
0003178242.tif 000006
【図５】
0003178242.tif 000007
【図６】
0003178242.tif 000008